【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
基板上に２種類の深さＤ１、Ｄ２を有するピットが形成され、前記基板上に反射膜、保護膜の順に形成された光情報記録媒体において、再生光の波長をλ、基板の屈折率をｎとしたとき、３λ／１６ｎ＜Ｄ１＜５λ／１６ｎかつλ／１６ｎ＜Ｄ２＜３λ／１６ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項２】
基板上に２種類の深さＤ１、Ｄ２を有するピットが形成され、前記基板上に反射膜、保護膜の順に形成された光情報記録媒体において、再生光の波長をλ、基板の屈折率をｎとしたとき、Ｄ１≒λ／４ｎかつＤ２≒λ／８ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項３】
基板上に２種類の深さＤ１、Ｄ２を有するピットが形成され、前記基板上に反射膜、保護膜の順に形成された光情報記録媒体において、再生光の波長をλ、基板の屈折率をｎとしたとき、３λ／１６ｎ＜Ｄ１＜５λ／１６ｎかつ５λ／１６ｎ＜Ｄ２＜７λ／１６ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項４】
基板上に２種類の深さＤ１、Ｄ２を有するピットが形成され、前記基板上に反射膜、保護膜の順に形成された光情報記録媒体において、再生光の波長をλ、基板の屈折率をｎとしたとき、Ｄ１≒λ／４ｎかつＤ２≒３λ／８ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項５】
基板上に２種類の深さＤ１、Ｄ２を有するピットが形成され、前記基板上に反射膜、保護膜の順に形成された光情報記録媒体において、再生光の波長をλ、保護膜の屈折率をｎとしたとき、３λ／１６ｎ＜Ｄ１＜５λ／１６ｎかつλ／１６ｎ＜Ｄ２＜３λ／１６ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項６】
基板上に２種類の深さＤ１、Ｄ２を有するピットが形成され、前記基板上に反射膜、保護膜の順に形成され、ピットを再生する光の波長をλ、保護膜の屈折率をｎとしたとき、Ｄ１≒λ／４ｎかつＤ２≒λ／８ｎを満たすように構成されている光情報記録媒体において、深さＤ１のピットが暗号鍵により暗号化された情報からなり、深さＤ２のピットが前記の暗号鍵に対応する復号鍵を含む情報からなることを特徴とする光情報記録媒体。
【請求項７】
基板上に２種類の深さＤ１、Ｄ２を有するピットが形成され、前記基板上に反射膜、保護膜の順に形成された光情報記録媒体において、再生光の波長をλ、保護膜の屈折率をｎとしたとき、３λ／１６ｎ＜Ｄ１＜５λ／１６ｎかつ５λ／１６ｎ＜Ｄ２＜７λ／１６ｎを満たすようにピットが構成され、深さＤ１のピットが暗号鍵により暗号化された情報からなり、深さＤ２のピットが前記の暗号鍵に対応する復号鍵を含む情報からなることを特徴とする光情報記録媒体。
【請求項８】
基板上に２種類の深さＤ１、Ｄ２を有するピットが形成され、前記基板上に反射膜、保護膜の順に形成され、ピットを再生する光の波長をλ、保護膜の屈折率をｎとしたとき、Ｄ１≒λ／４ｎかつＤ２≒３λ／８ｎを満たすように構成されている光情報記録媒体において、深さＤ１のピットが暗号鍵により暗号化された情報からなり、深さＤ２のピットが前記の暗号鍵に対応する復号鍵を含む情報からなることを特徴とする光情報記録媒体。
【請求項９】
請求項１〜８のいずれかの光情報記録媒体において、深さＤ１のピットが複数の暗号鍵により暗号化された情報からなり、深さＤ２のピットが前記の暗号鍵に対応する複数の復号鍵を含む情報からなることを特徴とする光情報記録媒体。
【請求項１０】
請求項１〜９のいずれかの光情報記録媒体において、深さＤ１及びＤ２のピットが同心円あるいはスパイラル状に形成され、深さＤ１及びＤ２のピットが同一トラック上に形成されていることを特徴とする光情報記録媒体。
【請求項１１】
請求項１〜９のいずれかの光情報記録媒体において、深さＤ１のピットが同心円あるいはスパイラル状に形成され、深さＤ１のピットが形成されているトラック間に深さＤ２のピットが形成されていることを特徴とする光情報記録媒体。
【請求項１２】
請求項１０の光情報記録媒体にレーザを照射してその反射光を検出し再生する光情報再生方法において、前記反射光を検出する検出器がレーザの進行方向に対し２分割の受光素子で構成されており、前記２分割の受光素子からの出力信号がＡとＢであり、前記出力信号のＲＦ信号（Ａ＋Ｂ）で深さＤ１のピット情報を検出し、前記出力信号のＴＰＰ信号（Ａ−Ｂ）で深さＤ２のピット情報を検出することを特徴とする光情報再生方法。
【請求項１３】
請求項１２の光情報再生方法において、ＴＰＰ信号から復号鍵を再生し、前記の復号鍵に対応する暗号鍵で暗号化された情報からなるＲＦ信号を前記の復号鍵で暗号化を解除することを特徴とする光情報再生方法。
【請求項１４】
請求項１２の光情報再生方法において、ＴＰＰ信号から復号鍵が検出されないときに光情報記録媒体の再生を中止することを特徴とする光情報再生方法。
【請求項１５】
請求項１１の光情報記録媒体にレーザを照射してその反射光を検出し再生する光情報再生方法において、前記反射光を検出する検出器がレーザの進行方向に対し垂直な方向に２分割の受光素子で構成されており、前記２分割の受光素子からの出力信号がＡとＢであり、前記出力信号のＲＦ信号（Ａ＋Ｂ）で深さＤ１のピット情報を検出し、前記出力信号のＲＰＰ信号（Ａ−Ｂ）で深さＤ２のピット情報を検出することを特徴とする光情報再生方法。
【請求項１６】
請求項１５の光情報再生方法において、ＲＰＰ信号から復号鍵を再生し、前記の復号鍵に対応する暗号鍵で暗号化された情報からなるＲＦ信号を前記の復号鍵で暗号化を解除することを特徴とする光情報再生方法。
【請求項１７】
請求項１５の光情報再生方法において、ＲＰＰ信号から復号鍵が検出されないときに光情報記録媒体の再生を中止することを特徴とする光情報再生方法。
【請求項１８】
請求項１０の光情報記録媒体にレーザを照射してその反射光を検出し再生する光情報再生装置において、前記反射光を検出する検出器がレーザの進行方向に対し２分割された受光素子から構成されており、検出器からの出力信号（Ａ、Ｂ）のＲＦ信号（Ａ＋Ｂ）で深さＤ１のピット情報を、また前記出力信号のＴＰＰ信号（Ａ−Ｂ）で深さＤ２のピット情報を検出するようにしたことを特徴とする光情報再生装置。
【請求項１９】
請求項１８の光情報再生装置において、ＴＰＰ信号から復号鍵を再生し、前記の復号鍵に対応する暗号鍵で暗号化された情報からなるＲＦ信号を前記の復号鍵で暗号化を解除するようにしたことを特徴とする光情報再生装置。
【請求項２０】
請求項１８の光情報再生装置において、ＴＰＰ信号から復号鍵が検出されないときに光情報記録媒体の再生を中止するようにしたことを特徴とする光情報再生装置。
【請求項２１】
請求項１１の光情報記録媒体にレーザを照射してその反射光を検出し再生する光情報再生装置において、前記反射光を検出する検出器がレーザの進行方向に対し垂直な方向に２分割された受光素子から構成されており、検出器からの出力信号（Ａ、Ｂ）のＲＦ信号（Ａ＋Ｂ）で深さＤ１のピット情報を、また前記出力信号のＲＰＰ信号（Ａ−Ｂ）で深さＤ２のピット情報を検出するようにしたことを特徴とする光情報再生装置。
【請求項２２】
請求項２１の光情報再生装置において、ＲＰＰ信号から復号鍵を再生し、前記の復号鍵に対応する暗号鍵で暗号化された情報からなるＲＦ信号を前記の復号鍵で暗号化を解除するようにしたことを特徴とする光情報再生装置。
【請求項２３】
請求項２１の光情報再生装置において、ＲＰＰ信号から復号鍵が検出されないときに光情報記録媒体の再生を中止するようにしたことを特徴とする光情報再生装置。
【手続補正２】
【補正対象書類名】明細書
【補正対象項目名】０００７
【補正方法】変更
【補正の内容】
【０００７】
【課題を解決するための手段】
前記課題を解決するために、請求項１の発明では、基板上に２種類の深さＤ１、Ｄ２を有するピットが形成され、前記基板上に反射膜、保護膜の順に形成された光情報記録媒体において、再生光の波長をλ、基板の屈折率をｎとしたとき、３λ／１６ｎ＜Ｄ１＜５λ／１６ｎかつλ／１６ｎ＜Ｄ２＜３λ／１６ｎを満たすようにピットが構成され、深さＤ１のピットが暗号鍵により暗号化された情報からなり、深さＤ２のピットが前記の暗号鍵に対応する復号鍵を含む情報からなることを最も主要な特徴とする。
【手続補正３】
【補正対象書類名】明細書
【補正対象項目名】０００８
【補正方法】変更
【補正の内容】
【０００８】
請求項２の発明では、基板上に２種類の深さＤ１、Ｄ２を有するピットが形成され、前記基板上に反射膜、保護膜の順に形成された光情報記録媒体において、再生光の波長をλ、基板の屈折率をｎとしたとき、Ｄ１≒λ／４ｎかつＤ２≒λ／８ｎを満たすようにピットが構成され、深さＤ１のピットが暗号鍵により暗号化された情報からなり、深さＤ２のピットが前記の暗号鍵に対応する復号鍵を含む情報からなることを主要な特徴とする。
【手続補正４】
【補正対象書類名】明細書
【補正対象項目名】０００９
【補正方法】変更
【補正の内容】
【０００９】
請求項３の発明では、基板上に２種類の深さＤ１、Ｄ２を有するピットが形成され、前記基板上に反射膜、保護膜の順に形成された光情報記録媒体において、再生光の波長をλ、基板の屈折率をｎとしたとき、３λ／１６ｎ＜Ｄ１＜５λ／１６ｎかつ５λ／１６ｎ＜Ｄ２＜７λ／１６ｎを満たすようにピットが構成され、深さＤ１のピットが暗号鍵により暗号化された情報からなり、深さＤ２のピットが前記の暗号鍵に対応する復号鍵を含む情報からなることを主要な特徴とする。
【手続補正５】
【補正対象書類名】明細書
【補正対象項目名】００１０
【補正方法】変更
【補正の内容】
【００１０】
請求項４の発明では、基板上に２種類の深さＤ１、Ｄ２を有するピットが形成され、前記基板上に反射膜、保護膜の順に形成された光情報記録媒体において、再生光の波長をλ、基板の屈折率をｎとしたとき、Ｄ１≒λ／４ｎかつＤ２≒３λ／８ｎを満たすようにピットが構成され、深さＤ１のピットが暗号鍵により暗号化された情報からなり、深さＤ２のピットが前記の暗号鍵に対応する復号鍵を含む情報からなることを主要な特徴とする。
【手続補正６】
【補正対象書類名】明細書
【補正対象項目名】００１１
【補正方法】変更
【補正の内容】
【００１１】
請求項５の発明では、基板上に２種類の深さＤ１、Ｄ２を有するピットが形成され、前記基板上に反射膜、保護膜の順に形成された光情報記録媒体において、再生光の波長をλ、保護膜の屈折率をｎとしたとき、３λ／１６ｎ＜Ｄ１＜５λ／１６ｎかつλ／１６ｎ＜Ｄ２＜３λ／１６ｎを満たすようにピットが構成され、深さＤ１のピットが暗号鍵により暗号化された情報からなり、深さＤ２のピットが前記の暗号鍵に対応する復号鍵を含む情報からなることを主要な特徴とする。
【手続補正７】
【補正対象書類名】明細書
【補正対象項目名】００１３
【補正方法】変更
【補正の内容】
【００１３】
請求項７の発明では、基板上に２種類の深さＤ１、Ｄ２を有するピットが形成され、前記基板上に反射膜、保護膜の順に形成された光情報記録媒体において、再生光の波長をλ、保護膜の屈折率をｎとしたとき、３λ／１６ｎ＜Ｄ１＜５λ／１６ｎかつ５λ／１６ｎ＜Ｄ２＜７λ／１６ｎを満たすようにピットが構成され、深さＤ１のピットが暗号鍵により暗号化された情報からなり、深さＤ２のピットが前記の暗号鍵に対応する復号鍵を含む情報からなることを主要な特徴とする。